(57)【要約】【課題】冷蔵庫の扉開閉毎に照明装置の点灯・消灯が繰り返され、又光Ａｇ照明装置の点灯・消灯状態が繰り返されるため、視認性が悪く、照明品位が悪く、点灯時間も長めになるため扉開時の消費電力も増加するといった課題を有していた【解決手段】冷蔵庫の扉を開けた場合に、可視光線領域内の波長を発光する発光ダイオードを実装した実装基板を用いる照明装置の点灯と、冷蔵室内をを点灯・消灯する光Ａｇ発光ダイオードを実装した実装基板を用いる光Ａｇ照明装置の点灯を、扉開閉検知手段によって扉の開状態を検知した時、発光ダイオードと光Ａｇ発光ダイオードは徐々に点灯から消灯を行い、その後徐々に消灯から点灯動作を繰り返えす冷蔵庫を提供する。【選択図】図１
2011144993.tif 000002
【特許請求の範囲】
【請求項１】
前面が開口する貯蔵室と、発光素子を光源として前記貯蔵室内を照らす照明装置と、前記貯蔵室の扉の開閉を検知する扉開閉検知手段と、前記扉開閉検知手段によって前記照明装置を点灯および消灯する発光ダイオードと、冷蔵室にある光Ａｇ照明装置を点灯及び消灯する光Ａｇ発光ダイオードとからなり、前記扉開閉検知手段によって前記扉の開状態を検知し、照明装置に流す電流のＯＮ／ＯＦＦ時間の比率を制御して、前記照明装置は点灯と消灯を繰返し、徐々にＯＮ時間の比率を小さくして消灯し、その後徐々にＯＮ時間の比率を大きくして点灯と消灯を繰り返し、光Ａｇ照明装置を同期することを特徴とする冷蔵庫。
【請求項２】
制御装置は扉開時、照明装置に流す電流のＯＮ／ＯＦＦ時間の比率と周期Ｔを決定し、周期Ｔを徐々に早くし、光Ａｇ照明装置を同期することを特徴とする請求項１に記載の冷蔵庫。
【請求項３】
制御装置は扉開時、警告音を放置する警告音放置手段を備え、前期警告音放置手段によって、照明装置に流す電流のＯＮ／ＯＦＦ時間の比率を制御と光Ａｇ照明装置と同期して前記警告音を発する請求項１の冷蔵庫。
【請求項４】
制御装置は扉開時、ドアの表面に庫内温度や庫内設定温度を表示する表示手段を備え、照明装置に流す電流のＯＮ／ＯＦＦ時間の比率を制御と光Ａｇ照明装置と同期して、前記表示手段の表示部を点滅することを特徴とする請求項１の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図１０は特許文献１に記載された従来の製氷機の照明装置の斜視図であり、図１１は図１０の照明装置を製氷機の庫内天面に設置した概念図を示すものである。
【０００５】
図１０の照明装置１００において、実装基板１０１は平板状で、一面または両面に回路パターン（図示せず）が形成され、熱伝導性の良好なエポキシ樹脂系の基板や絶縁金属基板を使用する。白色の発光ダイオード１０２は砲弾状に形成され、ＧａＮ系の青色の発光ダイオードからの青色光を用いて蛍光材を励起して白色光を得る構造で、電流を通電する２本の通電端子１０３が導出される。
【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。
【０００７】
図１０において、照明装置１００は、製氷機１１１の庫内の天面１１２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。
【先行技術文献】
【特許文献】
【００１０】
【特許文献１】特開２００１−８２８６９号公報
【発明の概要】
【発明が解決しようとする課題】
【００１１】
しかしながら、上記従来の構成では、冷蔵庫の扉開閉毎に照明装置の点灯・消灯が繰り返され、又光Ａｇ照明装置の点灯・消灯が冷蔵室扉開閉毎に光Ａｇ照明装置の点灯・消灯が繰り返されるので視認性が悪く、特に発光ダイオードの場合、指向性があり、冷蔵庫内
の収納物に光が跳ね返って利用者はまぶしさを感じたり、また発光ダイオードの照射方向が利用者側に向けられていると目に光が入りやすく、特に夜など部屋のライトが消えた状態で冷蔵庫の扉を開放したとき、照明用の発光ダイオードが連続点灯すると、眩しくて冷蔵庫内の収納物が逆に見づらいといった状況に陥りやすく、利用者が欲する収納物を的確に取り出せず、また収納位置が定まらず、冷蔵庫の扉を必要以上に開放状態にしたままとなり、省エネの発光ダイオードを照明として利用しているにもかかわらず、これによって外部から冷蔵庫内への熱侵入が増大し、冷却効率の低下を招き消費電力を増大させるといった課題を有していた。
【００１２】
本発明は、上記従来の課題を解決するもので、扉開閉検知手段によって照明装置の発光素子を点灯および消灯する冷蔵庫において、扉開閉検知手段によって扉の開状態を検知した時、光Ａｇ照明装置駆動回路より光Ａｇ照明装置の発光素子と同期させ、照明装置を連続点灯しないで、点灯から徐々に消灯、その後消灯から徐々に点灯を繰り返すことで、利用者の視覚への負担を軽減し、眩しさや光の反射による扉開放状態が必要以上に長くなるのを低減して、冷蔵庫全体の消費電力量の増大を阻止する冷蔵庫を提供することを目的とする。
【課題を解決するための手段】
【００１３】
上記従来の課題を解決するために、本発明の冷蔵庫は、冷蔵庫の扉を開けた場合に、可視光線領域内の波長を発光する発光素子を実装した実装基板を用いる照明装置の点灯を、扉開閉検知手段によって扉の開状態を検知した時、扉開閉検知手段によって扉の開状態を検知し、照明装置に流す電流のＯＮ／ＯＦＦ時間の比率をタイマカウンタによって制御して、照明装置は点灯と消灯を繰返し、徐々にＯＮ時間の比率を小さくして消灯し、所定時間経過後ＯＮ時間状態を大きくし点灯することを繰り返す。更に、光Ａｇ照明駆動回路より光Ａｇ照明装置の点灯・消灯処理と同期させる。これによって、照明装置を連続点灯しないで、点灯から徐々に消灯し、消灯から徐々に点灯を繰り返すことで、利用者の視覚への負担を軽減し、眩しさや光の反射による扉開放状態が必要以上に長くなるのを低減して、冷蔵庫全体の消費電力量の増大を阻止することが可能となる。
【発明の効果】
【００１４】
本発明の冷蔵庫は、照明装置を連続点灯しないで点灯から徐々に消灯し、消灯から徐々に点灯し、光Ａｇ照明装置と同期することで、利用者の視覚への負担を軽減するとともに、冷蔵庫全体の消費電力量の増大を阻止することができる。
【図面の簡単な説明】
【００１５】
【図１】本発明の実施の形態１における冷蔵庫の断面図
【図２】同実施の形態における照明装置の要部縦断面図
【図３】同実施の形態の冷蔵庫のブロック図
【図４】同実施の形態の冷蔵庫のフローチャート
【図５】同実施の形態の冷蔵庫のタイミングチャート
【図６】本発明の実施の形態２における冷蔵庫のフローチャート
【図７】本発明の実施の形態２における冷蔵庫のタイミングチャート
【図８】本発明の実施の形態３の冷蔵庫のブロック図
【図９】本発明の実施の形態４の冷蔵庫のブロック図
【図１０】従来の製氷機の照明装置の斜視図
【図１１】図６の照明装置を製氷機の庫内天面に設置した概念図
【発明を実施するための形態】
【００１６】
第１の発明は、前面が開口する貯蔵室と、発光素子を光源として前記貯蔵室内を照らす照明装置と、前記貯蔵室の扉の開閉を検知する扉開閉検知手段と、前記扉開閉検知手段に
よって前記照明装置を点灯および消灯し、貯蔵室の抗菌効果がある光Ａｇ照明装置と、前記扉開閉検知手段によって前記光Ａｇ照明装置を点灯および消灯する冷蔵庫において、前記扉開閉検知手段によって前記扉の開状態を検知し、前記制御装置は前記照明装置に流す電流のＯＮ／ＯＦＦ時間の比率を制御して、前記照明装置は点灯と消灯を繰返し、徐々にＯＮ時間の比率を小さくし、消灯後徐々にＯＮ時間の比率を大きくして点灯することを繰り返すことにより、照明装置を連続点灯しないで、点灯から徐々に消灯、消灯から徐々に点灯を繰り返し、更に光Ａｇ照明駆動回路より光Ａｇ照明装置の点灯・消灯処理を同期することで、利用者の視覚への負担を軽減し、眩しさや光の反射による扉開放状態が必要以上に長くなるのを低減して、冷蔵庫全体の消費電力量の増大を阻止することができる。
【００１７】
第２の発明は、特に第１の発明において、制御装置は扉開時、照明装置に流す電流のＯＮ／ＯＦＦ時間の比率と周期Ｔを決定し、周期Ｔを徐々に早め、光Ａｇ照明駆動回路より光Ａｇ照明装置の点灯・消灯処理を同期することでることで、よりスムーズに明るさを増して点灯制御でき、利用者の視覚への負担を低減した後、一定の周期から周期を早めることで利用者へ扉の開放状態の視認性を高めることができる。
【００１８】
第３の発明は、特に第１の発明において、警告音を発する警告音発生手段を備え、扉開放時間が所定時間経過すると警告音を発生し、光Ａｇ照明駆動回路より光Ａｇ照明装置の点灯・消灯処理を同期することで視認性を向上させ、眩しさや光の反射による扉開放状態が必要以上に長くなるのを低減し、警告音を前期照明装置の徐々に点灯から消灯、徐々に消灯から点灯を繰り返す状態と同期し、視覚と聴覚の周期を合わせることで利用者への警告意識を促し、扉開放の閉め忘れや食品の噛みこみによる扉スキを検知することができ、冷蔵庫全体の消費電力量の増大を阻止することができる。
【００１９】
第４の発明は、特に第１の発明において、扉の表面に庫内温度表示や庫内設定温度を表示する表示手段を備え、扉開放時間が所定時間経過すると前期表示手段を点滅させ、光Ａｇ照明駆動回路より光Ａｇ照明装置の点灯・消灯処理を同期することで視認性を向上させ、眩しさや光の反射による扉開放状態が必要以上に長くなるのを低減し、表示手段を点滅させることで利用者が扉開放の閉め忘れや食品の噛みこみによる扉スキを検知することができ、冷蔵庫全体の消費電力量の増大を阻止することができる。
【００２０】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２１】
（実施の形態１）
以下、本発明の実施の形態１を図１から図４に基づいて説明する。図１は、本発明の実施の形態１における冷蔵庫の断面図である。照明装置２０は、冷蔵室１３内の左側壁面と右側壁面にそれぞれ縦方向に配設されている。扉開閉検知手段２４は機械式スイッチやホールＩＣ等の電子式スイッチで構成され、冷蔵室１３の冷蔵室扉２５の開閉状態を検出する。制御装置２６は基板収納部２８に設置されている。冷凍室ファン１０は冷凍室１１内の冷気を循環させるとともに、ダンパー１２が開状態の場合は冷蔵室１３へも冷気を循環させる。冷蔵室１３に冷気を必要としない場合は、ダンパー１２を閉状態とする。冷蔵室にある光Ａｇ発光ダイオード４１は、庫内を除菌する効果がある。コンプレッサファン１４は機械室１５に設置されたコンプレッサ１６やコンデンサ（図示せず）を空冷する。電磁弁１７は冷却器１８への冷媒の流量を制御する。自動製氷機１９は、製氷皿２１を捻り、離氷動作を行う。温度検出手段２２は冷蔵庫各部の温度を制御装置２６に検知させる。
【００２２】
図２は同実施の形態における照明装置２０の要部縦断面図である。実装基板１は平板状で、一面または両面に回路パターン（図示せず）が形成され、熱伝導性の良好なエポキシ
樹脂系の基板や絶縁金属基板を使用される。光源の発光素子（以下、発光ダイオード２という）は砲弾状に形成され、ＧａＮ系の青色発光ダイオードからの青色光を用いて蛍光材を励起して白色光を得る構造で、電流を通電する２本の通電端子３が導出される。断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、縦方向に複数個が実装基板１に並設される。尚、発光ダイオード２の発熱量が少ない場合には、断熱板４は廃止しても構わない。
【００２３】
次に縦方向に複数個の発光ダイオードが実装された実装基板１は、冷蔵庫側壁８内に設けられた凹部５に外枠９と一体成型されたスペーサー６によって保持されており、発光ダイオード２の発光部から一定の距離をおいて、ランプカバー７が発光ダイオード２の発光部全体を覆うように冷蔵庫庫内左右壁面に照明装置２０として配設されている。
【００２４】
図３は、本発明の実施の形態１における冷蔵庫のブロック図である。
【００２５】
図３において、制御装置２６内のマイクロコンピュータ３０は、温度検出手段２２より冷蔵庫各部の温度を取得し、冷凍室ファン１０，コンプレッサファン１４、電磁弁１７、自動製氷機１９に駆動指令を出す。電磁弁１７と自動製氷機１９は使用する電流量が大きいため、同時に駆動することがないようにマイクロコンピュータ３０にプログラミングされている。また、扉開閉検知手段２４により扉２５の開閉状態を検出し、開状態の場合は照明装置駆動回路３１により照明装置２０を駆動する。冷凍室ファン１０は冷凍室ファン駆動回路３２により駆動される。冷凍室ファン１０は冷凍室ファン駆動回路３２により、可変速で運転することが可能であり、温度検出手段２２の温度信号よりマイクロコンピュータ３０が冷凍室ファン１０の回転が必要と判断すると、その状態により、高速回転と低速回転を切り替えることができる。コンプレッサファン１４はコンプレッサファン駆動回路３３により駆動される。電磁弁１７は電磁弁駆動回路３４により駆動される。自動製氷機１９は自動製氷機駆動回路３５により駆動される。タイマカウント３６はマイクロコンピュータ３０に内蔵され、扉２５が閉状態になってからの経過時間を積算する。
【００２６】
図４は、本発明の実施の形態１における冷蔵庫の扉２５の開閉状態と照明装置２０の駆動制御に関するフローチャートである。
【００２７】
図５は、照明装置２０の発光ダイオード２と光Ａｇ発光ダイオード４１の点灯と消灯の動作を横軸を時間単位として、各ステージ（１，２，３）の動作を表わしたタイミングチャートである。
【００２８】
ステップ１は、扉開閉検知手段２４からの信号が扉閉ならば、タイマカウント３６のタイマカウントをクリアし、ステップ１に戻る、また扉開閉検知手段２４からの信号が扉開ならば、ステップ２へ移行する。
【００２９】
ステップ２は、タイマカウント３６のカウントを開始し、また引数Ａを初期値の１に設定する。
【００３０】
ステップ３は、タイマカウント３６のカウント値がＴ１以上であれば、ステップ５へ移行し、またステップ３でのタイマカウント３６のカウント値がＴ１以下であれば、ステップ４へ移行する。
【００３１】
ステップ４は、発光ダイオード２と光Ａｇ発光ダイオード４１を点灯のまま維持している。上記のようにステップ３、４の動作を行うことにより、図５のステージ１に示すとお
り、冷蔵室扉２５が開放されたと扉開閉検知手段２４が検知すると、扉開からＴ１時間は照明装置２０の発光ダイオード２の点灯を維持する。
【００３２】
ステップ５は、Ｔ１時間経過後に照明装置２０の発光ダイオード２と光Ａｇ発光ダイオード４１が点灯したことを表している。
【００３３】
ステップ６は、タイマカウント３６がＴ２×Ａ（初期値は１）と比較し、カウント値がＴ２×Ａ以下ならば、ステップ４へ移行する、カウント値がＴ２×Ａ以上ならば、ステップ７へ移行する。
【００３４】
ステップ７は、照明装置２０の発光ダイオード２と光Ａｇ発光ダイオード４１を消灯とする。
【００３５】
ステップ８は、タイマカウント３６がＴ３と比較し、カウント値がＴ３以下ならば、ステップ７へ移行する、カウント値がＴ３以上ならば、ステップ９へ移行する。
【００３６】
ステップ５，６、７、８の動作を行うことにより、図５のステージ２に示すとおり、最初のＴ３期間の動作となる、Ｔ２×Ａ期間は照明装置２０の発光ダイオード２と光Ａｇ発光ダイオード４１は点灯となり、Ｔ２×Ａ時間経過後はＴ３期間まで消灯となる。
【００３７】
ステップ９は、引数ＡにＰ値を減算した値を引数Ａとする。
【００３８】
ステップ１０は、Ｔ２×（Ａ−Ｐ）のカウント値が０以下ならば、タイマカウント３６をクリアにしステップ１１へ移行する、Ｔ２×（Ａ−Ｐ）が０より大きいならば、発光ダイオードと光Ａｇ発光ダイオード４１を点灯にしたままステップ５へ移行する。
【００３９】
ステップ９，１０の動作を行うことにより、図５のステージ２に示すとおり、第２番目の周期Ｔ３期間の動作となる、Ｔ２×（Ａ−Ｐ）期間照明装置２０の発光ダイオード２と光Ａｇ発光ダイオード４１は点灯となる。
【００４０】
その後Ｔ３期間まで消灯となる。引数ＡにＰ値を引き、Ｔ２×Ａが０以下になるまで、点灯時間を徐々に短くしながら、消灯する動作を繰り返し、Ｔ２×Ａが０以下になると、ステージ３に移行する。
【００４１】
ステップ１１は、ステップ１０の後カウント値をクリアし照明装置２０の発光ダイオード２と光Ａｇ発光ダイオード４１が徐々に点灯表示に移行することを表している。
【００４２】
ステップ１２は、タイマカウント３６がＴ２×Ａ（初期値は１）と比較し、カウント値がＴ２×Ａ以下ならば、ステップ１２へ移行する、カウント値がＴ２×Ａ以上ならば、ステップ１３へ移行する。
【００４３】
ステップ１３は、照明装置２０の発光ダイオード２と光Ａｇ発光ダイオード４１を消灯とする。
【００４４】
ステップ１４は、タイマカウント３６がＴ３と比較し、カウント値がＴ３以下ならば、ステップ１４へ移行する、カウント値がＴ３以上ならば、ステップ１５へ移行する。
【００４５】
ステップ１１，１２，１３，１４，１５の動作を行うことにより、図５のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【００４６】
ステップ１５は、引数ＡにＰ値を加算した値を引数Ａとする。
【００４７】
ステップ１６は、Ｔ２×（Ａ＋Ｐ）のカウント値がＴ３以以上ならば、タイマカウント３６をクリアにしステップ１へ移行する、Ｔ２×（Ａ＋Ｐ）がＴ３以下ならば、発光ダイオードと光Ａｇ発光ダイオード４１を点灯にしたままステップ１１へ移行する。
【００４８】
ステップ１５，１６の動作を行うことにより、図５のステージ２に示すとおり、第２番目の周期Ｔ３期間の動作となる、Ｔ２×（Ａ＋Ｐ）期間照明装置２０の発光ダイオード２と光Ａｇ発光ダイオード４１は点灯となる。照明装置２０の発光ダイオード２と光Ａｇ発光ダイオード４１は徐々に点灯時間を増やしＴ２×（Ａ＋Ｐ）までは点灯しその後Ｔ３まで消灯する。その後ステージ４を繰り返す。
【００４９】
したがって冷蔵室扉２５を開放して扉開閉検知手段２４が動作し、図５のステージ１のように、Ｔ１時間の間は開放していても点灯のまま維持し、Ｔ１時間経過後はステージ２の動作に移行し、所定時間Ｔ３に対する点灯時間をＴ２×Ａ（第１番目）、Ｔ２×（Ａ−Ｐ）（第２番目）、Ｔ２×（Ａ−Ｐ−Ｐ）（第３番目）、・・・Ｔ２×（Ａ−Ｐ・・・）（第Ｎ番目）のように、発光ダイオードに電流を流す時間を徐々に常に小さくして、点灯するＯＮ時間を短くし、ステージ３のように、所定時間Ｔ３に対する点灯時間をＴ２×Ａ（第１番目）、Ｔ２×（Ａ＋Ｐ）（第２番目）、Ｔ２×（Ａ＋Ｐ＋Ｐ）（第３番目）、・・・Ｔ２×（Ａ＋Ｐ＋・・・）（第Ｎ番目）のように、発光ダイオードと光Ａｇ発光ダイオード４１に電流を流す時間を徐々に常に大きくして、点灯するＯＮ時間を長くし、ステージ２，３を繰り返す。
【００５０】
よって、冷蔵室扉２５が開放されて、すぐに発光ダイオード２と光Ａｇ発光ダイオード４１が点灯すると、特に発光ダイオード２と光Ａｇ発光ダイオード４１は指向性があるため、収納物に反射によって、または直接光を受けると利用者の目に光が飛び込んできやすく冷蔵室１３内が逆に見えづらいため、本実施例のように、扉を開けた時、Ｔ１時間点灯のまま持続して、そこから徐々に暗くした後、徐々に暗くし、発光ダイオードと光Ａｇ発光ダイオードの点滅・消灯処理の周期を同期するので、利用者にとって目に優しく、冷蔵室１３内の見づらさを低減することができ、照明装置による利用者の視覚への負担をより低減して、さらに冷蔵庫全体の消費電力量の増大を阻止することができる。
【００５１】
（実施の形態２）
実施の形態１はＴに対する点灯時間を徐々に小さくしながら点灯制御を行い、その後徐々に大きくしながら消灯制御を行うことを繰り返すが、実施の形態２にすることで、周期Ｔを早めることで点灯状態から消灯状態への移行状態をさらにスムーズに行うことができる。
【００５２】
図６は、本発明の実施の形態２における冷蔵庫の扉２５の開閉状態と照明装置２０の駆動制御に関するフローチャートである。
【００５３】
図７は、照明装置２０の発光ダイオード２と光Ａｇ発光ダイオード４１の点灯と消灯の動作を横軸を時間単位として、各ステージ（１０１，１０２，１０３）の動作を表わしたタイミングチャートである。
【００５４】
ステップ１０１は、扉開閉検知手段２４からの信号が扉閉ならば、タイマカウント３６のタイマカウントをクリアし、ステップ１０１に戻る、また扉開閉検知手段２４からの信号が扉開ならば、ステップ１０２へ移行する。
【００５５】
ステップ１０２は、タイマカウント３６のカウントを開始し、また引数Ａを初期値の１、係数Ｒを初期値の０．９に設定する。
【００５６】
ステップ１０３は、タイマカウント３６のカウント値がＴ１以上であれば、ステップ５へ移行し、またステップ３でのタイマカウント３６のカウント値がＴ１以下であれば、ステップ１０４へ移行する。
【００５７】
ステップ１０４は、発光ダイオード２と光Ａｇ発光ダイオード４１を点灯のまま維持している。上記のようにステップ３、４の動作を行うことにより、図５のステージ１に示すとおり、冷蔵室扉２５が開放されたと扉開閉検知手段２４が検知すると、扉開からＴ１時間は照明装置２０の発光ダイオード２と光Ａｇ発光ダイオード４１の点灯を維持する。
【００５８】
ステップ１０５は、Ｔ１時間経過後に照明装置２０の発光ダイオード２と光Ａｇ発光ダイオード４１が点灯したことを表している。
【００５９】
ステップ１０６は、タイマカウント３６がＴ２×Ａ×Ｒ（Ａの初期値は１、Ｒは０．９）と比較し、カウント値がＴ２×Ａ×Ｒ以下ならば、ステップ１０４へ移行する、カウント値がＴ２×Ａ×Ｒ以上ならば、ステップ１０７へ移行する。
【００６０】
ステップ１０７は、照明装置２０の発光ダイオード２を消灯とする。
【００６１】
ステップ１０８は、タイマカウント３６がＴ３と比較し、カウント値がＴ３以下ならば、ステップ１０７へ移行する、カウント値がＴ３以上ならば、ステップ１０９へ移行する。
【００６２】
ステップ１０５，１０６、１０７、１０８の動作を行うことにより、図７のステージ１０２に示すとおり、最初のＴ３期間の動作となる、Ｔ２×Ａ×Ｒ期間は照明装置２０の発光ダイオード２と光Ａｇ発光ダイオード４１は点灯となり、Ｔ２×Ａ×Ｒ時間経過後はＴ３期間まで消灯となる。
【００６３】
ステップ１０９は、引数ＡにＰ値を減算した値を引数Ａとする。
【００６４】
ステップ１１０は、Ｔ２×（Ａ−Ｐ）×Ｒのカウント値が０以下ならば、タイマカウント３６をクリアにしステップ１へ移行する、Ｔ２×（Ａ−Ｐ）×Ｒが０より大きいならば、発光ダイオードと光Ａｇ発光ダイオードを点灯にしたままステップ１０５へ移行する。
【００６５】
ステップ１０９，１１０の動作を行うことにより、図７のステージ１０２に示すとおり、第２番目の周期Ｔ３期間の動作となる、Ｔ２×（Ａ−Ｐ）×Ｒ期間照明装置２０の発光ダイオード２と光Ａｇ発光ダイオード４１は点灯となる。
【００６６】
その後Ｔ３期間まで消灯となる。引数ＡにＰ値を引き係数Ｒをかけて、Ｔ２×（Ａ−Ｐ）×Ｒが０以下になるまで、点灯時間を徐々に短くしながら、消灯する動作を繰り返し、Ｔ２×Ａが０以下になると、ステージ１０３に移行する。
【００６７】
ステップ１１は、ステップ１１０の後カウント値をクリアし照明装置２０の発光ダイオード２と光Ａｇ発光ダイオード４１が徐々に点灯表示に移行することを表している。
【００６８】
ステップ１１２は、タイマカウント３６がＴ２×Ａ（Ａは初期値は１、Ｒは０．９）と比較し、カウント値がＴ２×Ａ以下ならば、ステップ１１２へ移行する、カウント値がＴ２×Ａ以上ならば、ステップ１１３へ移行する。
【００６９】
ステップ１１３は、照明装置２０の発光ダイオード２と光Ａｇ発光ダイオード４１を消灯とする。
【００７０】
ステップ１１４は、タイマカウント３６がＴ３と比較し、カウント値がＴ３以下ならば、ステップ１３０へ移行する、カウント値がＴ３以上ならば、ステップ１３１へ移行する。
【００７１】
ステップ１１，１１２，１１３，１１４，１１５の動作を行うことにより、図５のステージ１０２に示すとおり、最初のＴ３期間の動作となる、Ｔ２×Ａ期間は照明装置２０の発光ダイオード２は点灯となり、Ｔ２×Ａ×Ｒ時間経過後はＴ３期間まで消灯となる。
【００７２】
ステップ１１５は、引数ＡにＰ値を加算した値を引数Ａとする。
【００７３】
ステップ１１６は、Ｔ２×（Ａ＋Ｐ）×Ｒのカウント値がＴ３以下ならば、タイマカウント３６をクリアにしステップ１０１へ移行する、Ｔ２×（Ａ＋Ｐ）×ＲがＴ３以上ならば、発光ダイオードを点灯にしたままステップ１１へ移行する。
【００７４】
ステップ１１５，１１６の動作を行うことにより、図７のステージ１０２に示すとおり、第２番目の周期Ｔ３期間の動作となる、Ｔ２×（Ａ＋Ｐ）×Ｒ期間照明装置２０の発光ダイオード２は点灯となる。照明装置２０の発光ダイオード２と光Ａｇ発光ダイオード４１は徐々に点灯時間を増やしＴ２×（Ａ＋Ｐ）×Ｒまでは点灯しその後Ｔ３まで消灯する。その後ステージ１０４を繰り返す。
【００７５】
したがって冷蔵室扉２５を開放して扉開閉検知手段２４が動作し、図７のステージ１０１のように、Ｔ１時間の間は開放していても点灯のまま維持し、Ｔ１時間経過後はステージ１０２の動作に移行し、所定時間Ｔ３に対する点灯時間をＴ２×Ａ×Ｒ（第１番目）、Ｔ２×（Ａ−Ｐ）×Ｒ（第２番目）、Ｔ２×（Ａ−Ｐ−Ｐ）×Ｒ（第３番目）、・・・Ｔ２×（Ａ−Ｐ−・・・）×Ｒ（第Ｎ番目）のように、発光ダイオードに電流を流す時間を徐々に常に小さくして、点灯するＯＮ時間を短くし、ステージ３のように、所定時間Ｔ３に対する点灯時間をＴ２×Ａ×Ｒ（第１番目）、Ｔ２×（Ａ＋Ｐ）×Ｒ（第２番目）、Ｔ２×（Ａ＋Ｐ＋Ｐ）×Ｒ（第３番目）、・・・Ｔ２×（Ａ＋Ｐ＋・・・）×Ｒ（第Ｎ番目）のように、発光ダイオードと光Ａｇ発光ダイオードに電流を流す時間を徐々に常に大きくして、点灯するＯＮ時間を長くし、ステージ１０２，１０３を繰り返す。
【００７６】
よって、利用者が冷蔵室扉２５を開放したときに、消灯状態からよりスムーズに徐々に点灯状態に発光ダイオード２と光Ａｇ発光ダイオード４１が点灯するのを目にするので、指向性のある発光ダイオード２と光Ａｇ発光ダイオード４１の光に対して室内の見づらさを低減することができ、冷蔵庫全体として消費電力量の低減を図ることができる。
【００７７】
また、上記のように、繰返す回数を一定回数に固定して、点灯制御を行ったが、Ｔ３に対する同じ点灯時間を繰返す回数を徐々に減らしていってもよい。
【００７８】
これによって、消灯状態から点灯状態になる移行期間の発光ダイオード２と光Ａｇ発光ダイオード４１の明るさをスムーズに制御できる。
【００７９】
また、本発明の冷蔵庫は、扉開閉検知手段２４によって発光ダイオード２と光Ａｇ発光ダイオード４１に流す電流を制御する制御装置を備え、扉開閉検知手段によって扉２５の開状態を検知した時、前記制御装置２６は発光ダイオード２に流す電流を所定時間ＯＦＦした後、電流のＯＮ／ＯＦＦ時間の比率はのうちＯＮ時間を徐々に小さくすることと、周
期Ｔを徐々に早める制御するとしたものである。
【００８０】
これによって、点灯時には照明装置２０と光Ａｇ照明装置４３がゆっくり点灯するため、照明としての品位を向上させ、扉２５の開時の消費電力を抑制することが可能となる。発光ダイオードと光Ａｇ発光ダイオードのＯＮ時間の長寿命化を図ることができる。
【００８１】
また本発明の冷蔵庫は、扉開閉検知手段２４によって発光ダイオード２に流す電流を制御する制御装置と、光Ａｇ発光ダイオード４１に流す電流を制御する光Ａｇ照明装置４３を備え、扉開閉検知手段によって扉２５の開状態を検知した時、前記制御装置２６は発光ダイオード２と光Ａｇ発光ダイオード４１に流す電流を所定時間ＯＦＦした後、電流の同じＯＮ／ＯＦＦ時間を繰り返し、その後ＯＮ時間を徐々に長くして繰り返して制御するものである。
【００８２】
これによって点灯時には照明装置２０の発光ダイオード２と光Ａｇ照明装置４３の光Ａｇ発光ダイオード４１がなめらかな点灯状態から、ゆっくり点灯時間を長くしていくため、高級感のある照明としての品位をさらに向上させることができる。
【００８３】
また実施の形態１では、ステップ３のように所定時間Ｔ１経過後、発光ダイオード２と光Ａｇ発光ダイオード４１を点灯し徐々に消灯し、その後消灯から徐々に点灯する制御を示したが、所定時間経過しなくても、すなわちＴ１＝０でステップ５に進み、以下実施の形態１と同様に制御してもよい。
【００８４】
これによって、徐々に消灯し、その後消灯から徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【００８５】
また実施の形態２でも同様にステップ１０３で所定時間Ｔ１経過後、発光ダイオード２と光Ａｇ発光ダイオード４１を点灯していたが、所定時間経過しなくても、すなわちＴ１＝０でステップ１０５に進み、以下実施の形態２と同様に制御してもよい。
【００８６】
これによって一気に照明装置を点灯しないで、よりスムーズに徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【００８７】
（実施の形態３）
図８は、本発明の実施の形態３における冷蔵庫の扉２５の開閉状態と照明装置２０の駆動制御に関するブロック図である。
【００８８】
実施の形態１はＴに対する点灯時間を徐々に小さくしながら消灯制御を行い、その後徐々に大きくしながら点灯制御を行うことを繰り返し、光Ａｇ発光ダイオード４１と同期を行い、警告音発生手段３７よりブザー３８にて警告音を同期して発生させることを実施する。
【００８９】
これによって、徐々に消灯し、その後消灯から徐々に明るく点灯していく制御に光Ａｇ発光ダイオードを同期し、警告音を同期することで、利用者の視覚への負担を軽減し、眩しさや光の反射による扉開放状態が必要以上に長くなるのを低減して、さらに視覚と聴覚の周期を合わせることで利用者への警告意識を促し、警告音により扉開放のまま放置されることを防ぐことができ、冷蔵庫全体の消費電力量の増大を阻止することができる。
【００９０】
（実施の形態４）
図９は、本発明の実施の形態４における冷蔵庫の扉２５の開閉状態と照明装置２０の駆動制御に関するブロック図である。
実施の形態１はＴに対する点灯時間を徐々に小さくしながら消灯制御を行い、その後徐々に大きくしながら点灯制御を行うことを繰り返し、光Ａｇ発光ダイオードと同期を行い、表示手段３９より温度表示を表示している表示基板４０において、表示基板の温度表示を点滅させることを実施する。
【００９１】
これによって、徐々に消灯し、その後消灯から徐々に明るく点灯していく制御に光Ａｇ発光ダイオードを同期し、表示基板の温度表示を点滅させ同期することで、利用者の視覚への負担を軽減し、眩しさや光の反射による扉開放状態が必要以上に長くなるのを低減して、更に扉開放のまま放置されることや食品の噛み込みを防ぐことができ、冷蔵庫全体の消費電力量の増大を阻止することができる。
【産業上の利用可能性】
【００９２】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【符号の説明】
【００９３】
１  実装基板
２  発光ダイオード
２０  照明装置
２４  扉開閉検知手段
２５  扉
２６  制御装置
３６  タイマカウント
【図１】
2011144993.tif 000003
【図２】
2011144993.tif 000004
【図３】
2011144993.tif 000005
【図４】
2011144993.tif 000006
【図５】
2011144993.tif 000007
【図６】
2011144993.tif 000008
【図７】
2011144993.tif 000009
【図８】
2011144993.tif 000010
【図９】
2011144993.tif 000011
【図１０】
2011144993.tif 000012
【図１１】
2011144993.tif 000013